(57)【要約】      （修正有）【課題】ソケットレンチのソケット部に対するボルト頭部の嵌合に際し、ソケット部の嵌合穴とボルト頭部との中心位置決めを迅速に行うと共に、その嵌合も円滑に行うことができ、しかもソケット部におけるボルト頭部の保持を簡便かつ容易に達成することができ、ボルトの取付け作業に際してその適正化と共に作業効率の向上を容易に達成することができるボルト及びこれに適合するソケットレンチ並びにこれらの組合せを提供する。【解決手段】多角形からなるボルト頭部１０ａの頂面中央部に、所要深さの円筒孔１２を設けると共に、この円筒孔の底部を円錐状の底面１４に形成したボルト１０Ａと、ソケット部２２における嵌合穴２４内に、先端部を円錐状に突出させてボルト頭部に形成した円筒孔に嵌入させるように構成した支持杆２６を、設けたソケットレンチ２０Ａとから構成される。【選択図】図７
2010054049.tif 000002
【特許請求の範囲】
【請求項１】
多角形からなるボルト頭部の頂面中央部に、所要深さの円筒孔を設けると共に、この円筒孔の底部を円錐状の底面に形成したことを特徴とするボルト。
【請求項２】
多角形からなるボルト頭部の若干円形上に凹んだ頂面中央部に、所要深さの円筒孔を設けると共に、この円筒孔の開口縁部を面取りし、さらに前記円筒孔の底部には円錐状の底面を２段階に形成したことを特徴とするボルト。
【請求項３】
前記ボルト頭部の頂面中央部に設けた円筒孔の内周面を、テーパ形状に構成することを特徴とする請求項１または２記載のボルト。
【請求項４】
多角形からなるボルト頭部に嵌合する多角形の嵌合穴を有するソケット部を備えたソケットレンチからなり、前記ソケット部における嵌合穴内に、先端部を円錐状に突出させて、ボルト頭部に形成した円筒孔に嵌入させるように構成した支持杆を、設けたことを特徴とするソケットレンチ。
【請求項５】
多角形からなるボルト頭部に嵌合する多角形の嵌合穴を有するソケット部を備えたソケットレンチからなり、前記ソケット部における嵌合穴の底部中央に円筒孔を設け、この円筒孔内に、先端が前記嵌合穴内を挿通して嵌合穴の開口部より外方へ所要長さ突出しかつその先端部を円錐状に突出させて、前記ボルト頭部に形成した円筒孔に嵌入させるための支持杆を、ばね部材を介して弾力的に進退可能に収納配置したことを特徴とするソケットレンチ。
【請求項６】
前記ソケット部の円筒孔内に設けた支持杆の先端側を、先細りのテーパ形状に構成することを特徴とする請求項４または５記載のソケットレンチ。
【請求項７】
前記ソケット部における嵌合穴の底部中央に設けた円筒孔内に、前記円筒孔に内接する円筒体と、この円筒体の一端部において前記嵌合穴の底部に係止するように構成した多角形のフランジ部とを備えたスリーブを挿着固定し、前記スリーブ内に前記ばね部材を配置すると共に、前記支持杆の他端部を弾力的に進退可能に収納係止したことを特徴とする請求項５または６記載のソケットレンチ。
【請求項８】
前記支持杆の先端部側に、ナットの雌ねじ部に嵌入係止させる段部を形成したことを特徴とする請求項４ないし７のいずれかに記載のソケットレンチ。
【請求項９】
前記ソケット部に弾力的に進退可能に収納配置した前記支持杆の先端部側の外周面の一部に、単一または複数の磁極が位置するように永久磁石を設けたことを特徴とする請求項４ないし８のいずれかに記載のソケットレンチ。
【請求項１０】
前記ソケット部の嵌合穴の底部に配置したスリーブのフランジ部に、単一または複数の永久磁石を固定配置したことを特徴とする請求項７記載のソケットレンチ。
【請求項１１】
多角形からなるボルト頭部の頂面中央部に、所要深さの円筒孔を設けると共に、この円筒孔の底部を円錐状の底面に形成したことを特徴とするボルトと、
多角形からなるボルト頭部に嵌合する多角形の嵌合穴を有するソケット部を備えたソケットレンチからなり、前記ソケット部における嵌合穴内に、先端部を円錐状に突出させて、前記ボルト頭部に形成した円筒孔に嵌入させるように構成した支持杆を、設けたことを特徴とするソケットレンチとの組合せ。
【請求項１２】
多角形からなるボルト頭部の頂面中央部に、所要深さの円筒孔を設けると共に、この円筒孔の底部を円錐状の底面に形成したことを特徴とするボルトと、
多角形からなるボルト頭部に嵌合する多角形の嵌合穴を有するソケット部を備えたソケットレンチからなり、前記ソケット部における嵌合穴の底部中央に円筒孔を設け、この円筒孔内に、先端が前記嵌合穴内を挿通して嵌合穴の開口部より外方へ所要長さ突出しかつその先端部を円錐状に突出させて、前記ボルト頭部に形成した円筒孔に嵌入させるための支持杆を、ばね部材を介して弾力的に進退可能に収納配置したことを特徴とするソケットレンチとの組合せ。
【請求項１３】
多角形からなるボルト頭部の頂面中央部に、所要深さの円筒孔を設けると共に、この円筒孔の底部を円錐状の底面に形成したことを特徴とするボルトと、
多角形からなるボルト頭部に嵌合する多角形の嵌合穴を有するソケット部を備えたソケットレンチからなり、前記ソケット部における嵌合穴の底部中央に円筒孔を設け、この円筒孔内に、先端が前記嵌合穴内を挿通して嵌合穴の開口部より外方へ突出しないように構成配置しかつその先端部を円錐状に突出させて、前記ボルト頭部に形成した円筒孔に嵌入させるための支持杆を、ばね部材を介して弾力的に進退可能に収納配置したことを特徴とするソケットレンチとの組合せ。
【請求項１４】
多角形からなるボルト頭部の頂面中央部に、所要深さの円筒孔を設けると共に、この円筒孔の底部を円錐状の底面に形成したことを特徴とするボルトと、
多角形からなるボルト頭部に嵌合する多角形の嵌合穴を有するソケット部を備えたソケットレンチからなり、前記ソケット部における嵌合穴の底部中央に円筒孔を設け、この円筒孔内に、この円筒孔に内接する円筒体と、この円筒体の一端部において前記嵌合穴の底部に係止するように構成した多角形のフランジ部とを備えたスリーブを挿着固定し、前記スリーブ内に前記ばね部材を配置すると共に、前記ボルト頭部に形成した円筒孔に嵌入させるための支持杆を、前記ばね部材を介して弾力的に進退可能に収納配置したことを特徴とするソケットレンチとの組合せ。
【請求項１５】
前記ソケット部の円筒孔内に設けた支持杆の先端側を、先細りのテーパ形状に構成すると共に、前記支持杆の先端が嵌合する前記ボルト頭部の頂面中央部に設けた円筒孔の内周面を、テーパ形状に構成してくさび状に結合するよう設定することを特徴とする請求項１１ないし１４のいずれかに記載のボルトとソケットレンチとの組合せ。
【請求項１６】
前記ソケットレンチのソケット部に弾力的に進退可能に収納配置した前記支持杆の先端部側の外周面の一部に、単一または複数の磁極が位置するように永久磁石を設けたことを特徴とする請求項１１ないし１５のいずれかに記載のボルトとソケットレンチとの組合せ。
【請求項１７】
前記ソケットレンチのソケット部の嵌合穴の底部に配置したスリーブのフランジ部に、単一または複数の永久磁石を固定配置したことを特徴とする請求項１４または１５記載のボルトとソケットレンチとの組合せ。
【発明の詳細な説明】
【技術分野】
【０００１】
本発明は、ねじ締め作業に使用するボルトおよびこれに適合するソケットレンチに関するものである。
【背景技術】
【０００２】
ボルトの取付け及び取外し作業においては、一般にボルト頭部を受け入れる所要の係合凹部を設けたソケット部を有し、これを回転駆動するように構成したソケットレンチが使用されている。
【０００３】
このようなソッケトレンチを使用してボルトの取付け作業を行う場合、前記ソケット部の係合凹部内にボルト頭部が適正に保持された状態でないと、ボルトをその取付け孔に対して円滑に取り付けることができなくなる惧れがある。従って、手動による場合のみならず、自動化装置等によるボルトの取付け作業においては、ソッケットレンチのソケット部に対して、ボルト頭部を常に適正な状態で収納保持することが、作業の適正化と作業効率の向上において極めて重要である。
【０００４】
このような観点から、従来において、ビットの先端にボルト頭部が嵌合する多角形の嵌合穴を有するソケット部を設けたソケットレンチにおいて、前記ソケット部にねじ頭部係止手段を備えた構成とすることが、種々提案されている。
【０００５】
例えば、ソケット部の外周面に環状溝を設け、この環状溝の溝底部から多角形の嵌合穴の少なくとも一つの角部に連通する開口を設け、前記環状溝に嵌装したリング状ばねの一部が前記開口において嵌合穴内に突出させることにより、前記嵌合穴に嵌合するボルト頭部を、前記リング状ばねの一部によって弾力的に保持するように構成したソケットレンチが提案されている（特許文献１参照）。
【０００６】
また、従来においては、ソケット部を永久磁石で構成して、ボルト頭部を吸着保持することも考えられるが、この場合、砂鉄や鉄粉がソケット部に付着すると共に、ボルトが鉄などの強磁性体を使用する以外では到底実用にはならないことから、ソケット部の嵌合穴の内周面に円周溝を形成し、この円周溝内に欠円ばね線を係合配置することにより、前記嵌合穴に嵌合するボルト頭部を、前記欠円ばね線によって弾力的に保持するように構成したソケットレンチが提案されている（特許文献２参照）。
【先行技術文献】
【特許文献】
【０００７】
【特許文献１】実開平５−３９８７０号公報
【特許文献２】特開２００１−１８１７５号公報
【発明の開示】
【発明が解決しようとする課題】
【０００８】
前述したように、従来のソケットレンチにおいては、ボルト頭部をソケット部に設けたリング状のばねによって係合保持するように構成したものであるが、ソケット部においてボルト頭部を保持させるに際しては、多角形のボルト頭部を、ソケット部に設けた多角形の嵌合穴に適合させて嵌合させることが必要である。この場合、手作業によれば、ワンタッチ操作で完了することは困難であり、また自動化装置によればソケットレンチを回動させておく等の必要があり、作業に手間が掛かると共に煩雑な作業を伴うことから、作業効率を著しく低下させる等の難点がある。
【０００９】
そこで、本発明者は鋭意研究並びに検討を重ねた結果、ボルト頭部の頂面中央部に、所要深さの円筒孔を設けると共に、この円筒孔の底部を円錐状の底面に形成し、これに対するソケットレンチは、多角形の嵌合穴を設けたソケット部における前記嵌合穴の底部中央に円筒孔を設け、この円筒孔内に、先端が前記嵌合穴内を挿通して嵌合穴の開口部より外方へ所要長さ突出し、しかもその先端部分を円錐状に突出させて、前記ボルト頭部に形成した円筒孔に嵌入するようにした支持杆を、ばね部材を介して弾力的に進退可能に収納配置した構成とすることにより、前記ソケットレンチのソケット部に対する前記ボルト頭部の嵌合に際し、前記支持杆の先端部をボルト頭部の円筒孔に嵌入することによって、ソケット部の嵌合穴とボルト頭部との中心位置決めを迅速に行うと共に、その嵌合も円滑に行われて、前記支持杆によるソケット部におけるボルト頭部の保持を、従来のようなリング状ばね部材を設けることなく、簡便かつ容易に達成することができることを突き止めた。
【００１０】
従って、本発明の目的は、ソケットレンチのソケット部に対するボルト頭部の嵌合に際し、ソケット部の嵌合穴とボルト頭部との中心位置決めを迅速に行うと共に、その嵌合も円滑に行うことができ、しかもソケット部におけるボルト頭部の保持を簡便かつ容易に達成することができ、ボルトの取付け作業に際してその適正化と共に作業効率の向上を容易に達成することができるボルト及びこれに適合するソケットレンチ並びにこれらの組合せを提供することにある。
【課題を解決するための手段】
【００１１】
前記の目的を達成するため、本発明の請求項１に記載のボルトは、ボルト頭部の頂面中央部に、所要深さの円筒孔を設けると共に、この円筒孔の底部を円錐状の底面に形成したことを特徴とする。
【００１２】
本発明の請求項２に記載のボルトは、多角形からなるボルト頭部の若干円形上に凹んだ頂面中央部に、所要深さの円筒孔を設けると共に、この円筒孔の開口縁部を面取りし、さらに前記円筒孔の底部には円錐状の底面を２段階に形成したことを特徴とする。
【００１３】
本発明の請求項３に記載のボルトは、前記ボルト頭部の頂面中央部に設けた円筒孔の内周面を、テーパ形状に構成することを特徴とする。
【００１４】
本発明の請求項４に記載のソケットレンチは、多角形からなるボルト頭部に嵌合する多角形の嵌合穴を有するソケット部を備えたソケットレンチからなり、前記ソケット部における嵌合穴内に、先端部を円錐状に突出させて、ボルト頭部に形成した円筒孔に嵌入させるように構成した支持杆を、設けたことを特徴とする。
【００１５】
本発明の請求項５に記載のソケットレンチは、多角形からなるボルト頭部に嵌合する多角形の嵌合穴を有するソケット部を備えたソケットレンチからなり、前記ソケット部における嵌合穴の底部中央に円筒孔を設け、この円筒孔内に、先端が前記嵌合穴内を挿通して嵌合穴の開口部より外方へ所要長さ突出しかつその先端部を円錐状に突出させて、前記ボルト頭部に形成した円筒孔に嵌入させるための支持杆を、ばね部材を介して弾力的に進退可能に収納配置したことを特徴とする。
【００１６】
本発明の請求項６に記載のソケットレンチは、前記ソケット部の円筒孔内に設けた支持杆の先端側を、先細りのテーパ形状に構成することを特徴とする。
【００１７】
本発明の請求項７に記載のソケットレンチは、前記ソケット部における嵌合穴の底部中央に設けた円筒孔内に、前記円筒孔に内接する円筒体と、この円筒体の一端部において前記嵌合穴の底部に係止するように構成した多角形のフランジ部とを備えたスリーブを挿着固定し、前記スリーブ内に前記ばね部材を配置すると共に、前記支持杆の他端部を弾力的に進退可能に収納係止したことを特徴とする。
【００１８】
本発明の請求項８に記載のソケットレンチは、前記支持杆の先端部側に、ナットの雌ねじ部に嵌入係止させる段部を形成したことを特徴とする。
【００１９】
本発明の請求項９に記載のソケットレンチは、前記ソケット部に弾力的に進退可能に収納配置した前記支持杆の先端部側の外周面の一部に、単一または複数の磁極が位置するように永久磁石を設けたことを特徴とする。
【００２０】
本発明の請求項１０に記載のソケットレンチは、前記ソケット部の嵌合穴の底部に配置したスリーブのフランジ部に、単一または複数の永久磁石を固定配置したことを特徴とする。
【００２１】
本発明の請求項１１に記載のボルトとソケットレンチとの組合せは、多角形からなるボルト頭部の頂面中央部に、所要深さの円筒孔を設けると共に、この円筒孔の底部を円錐状の底面に形成したことを特徴とするボルトと、
多角形からなるボルト頭部に嵌合する多角形の嵌合穴を有するソケット部を備えたソケットレンチからなり、前記ソケット部における嵌合穴内に、先端部を円錐状に突出させて、ボルト頭部に形成した円筒孔に嵌入させるように構成した支持杆を、設けたことを特徴とするソケットレンチとを組合せた構成からなる。
【００２２】
本発明の請求項１２に記載のボルトとソケットレンチとの組合せは、多角形からなるボルト頭部の頂面中央部に、所要深さの円筒孔を設けると共に、この円筒孔の底部を円錐状の底面に形成したことを特徴とするボルトと、
多角形からなるボルト頭部に嵌合する多角形の嵌合穴を有するソケット部を備えたソケットレンチからなり、前記ソケット部における嵌合穴の底部中央に円筒孔を設け、この円筒孔内に、先端が前記嵌合穴内を挿通して嵌合穴の開口部より外方へ所要長さ突出しかつその先端部を円錐状に突出させて、前記ボルト頭部に形成した円筒孔に嵌入させるための支持杆を、ばね部材を介して弾力的に進退可能に収納配置したことを特徴とするソケットレンチとを組合せた構成からなる。
【００２３】
本発明の請求項１３に記載のボルトとソケットレンチとの組合せは、多角形からなるボルト頭部の頂面中央部に、所要深さの円筒孔を設けると共に、この円筒孔の底部を円錐状の底面に形成したことを特徴とするボルトと、
多角形からなるボルト頭部に嵌合する多角形の嵌合穴を有するソケット部を備えたソケットレンチからなり、前記ソケット部における嵌合穴の底部中央に円筒孔を設け、この円筒孔内に、先端が前記嵌合穴内を挿通して嵌合穴の開口部より外方へ突出しないように構成配置しかつその先端部を円錐状に突出させて、前記ボルト頭部に形成した円筒孔に嵌入させるための支持杆を、ばね部材を介して弾力的に進退可能に収納配置したことを特徴とするソケットレンチとの組合せ
【００２４】
本発明の請求項１４に記載のボルトとソケットレンチとの組合せは、多角形からなるボルト頭部の頂面中央部に、所要深さの円筒孔を設けると共に、この円筒孔の底部を円錐状の底面に形成したことを特徴とするボルトと、
多角形からなるボルト頭部に嵌合する多角形の嵌合穴を有するソケット部を備えたソケットレンチからなり、前記ソケット部における嵌合穴の底部中央に円筒孔を設け、この円筒孔内に、この円筒孔に内接する円筒体と、この円筒体の一端部において前記嵌合穴の底部に係止するように構成した多角形のフランジ部とを備えたスリーブを挿着固定し、前記スリーブ内に前記ばね部材を配置すると共に、前記ボルト頭部に形成した円筒孔に嵌入させるための支持杆を、前記ばね部材を介して弾力的に進退可能に収納配置したことを特徴とするソケットレンチとを組合せた構成からなる。
【００２５】
本発明の請求項１５に記載のボルトとソケットレンチとの組合せは、前記ソケット部の円筒孔内に設けた支持杆の先端側を、先細りのテーパ形状に構成すると共に、前記支持杆の先端が嵌合する前記ボルト頭部の頂面中央部に設けた円筒孔の内周面を、テーパ形状に構成してくさび状に結合するよう設定することを特徴とする。
【００２６】
本発明の請求項１６に記載のボルトとソケットレンチとの組合せは、前記ソケットレンチのソケット部に弾力的に進退可能に収納配置した前記支持杆の先端部側の外周面の一部に、単一または複数の磁極が位置するように永久磁石を設けたことを特徴とする。
【００２７】
本発明の請求項１７に記載のボルトとソケットレンチとの組合せは、前記ソケットレンチのソケット部の嵌合穴の底部に配置したスリーブのフランジ部に、単一または複数の永久磁石を固定配置したことを特徴とする。
【発明の効果】
【００２８】
本発明の請求項１に記載のボルトによれば、ボルト頭部の頂面中央部に、所要深さの円筒孔を設けると共に、この円筒孔の底部を円錐状の底面に形成した構成とすることにより、多角形からなるボルト頭部に嵌合する多角形の嵌合穴を有するソケット部の前記嵌合穴内に、先端部を円錐状に突出させて、前記ボルト頭部に形成した円筒孔に嵌入させる支持杆を設けた構成からなるソケットレンチを使用することによって、前記ソケットレンチのソケット部に対する前記ボルト頭部の嵌合に際し、前記支持杆の先端部をボルト頭部の円筒孔に嵌入することによって、ソケット部の嵌合穴とボルト頭部との中心位置決めを迅速に行うと共に、その嵌合も円滑に行われて、前記支持杆によるソケット部におけるボルト頭部の保持を確実に行い、ボルトの取付け作業に際し、その適正化と共に作業効率の向上を容易に達成することができる。
【００２９】
本発明の請求項２に記載のボルトによれば、特に円筒孔の底部を、円錐状の底面として２段階に深く凹むように構成することにより、アプセット（冷間圧造）によるボルト頭部の一体的成形を可能とし、ボルト製造線材の頭部における素材分子の密度を高めて、ボルトの軽量化と共にその強靭化を図ることができる等の利点が得られる。
【００３０】
本発明の請求項３に記載のボルトによれば、ボルト頭部の頂面中央部に設けた円筒孔に嵌合するソケットレンチのソケット部の円筒孔内に設けた支持杆に対して、その先端側を先細りのテーパ形状に構成することによって、前記支持杆との嵌合をくさび状にして緩みのない結合とすることができる。
【００３１】
本発明の請求項４および１１に記載のソケットレンチ並びにボルトとの組合せによれば、多角形からなるボルト頭部に嵌合する多角形の嵌合穴を有するソケット部の前記嵌合穴内に、先端部を円錐状に突出させて、ボルト頭部に形成した円筒孔に嵌入させる支持杆を設けた構成とすることにより、ボルト頭部の頂面中央部に、所要深さの円筒孔を設けたボルトを使用することにより、ソケット部の嵌合穴とボルト頭部との中心位置決めを迅速に行うと共に、その嵌合も円滑に行われて、従来のように嵌合穴内にリング状ばね等を設けることなく、前記支持杆によるソケット部におけるボルト頭部の保持を確実に行い、ボルトの取付け作業に際し、その適正化と共に作業効率の向上を容易に達成することができる。
【００３２】
本発明の請求項５、１２および１３に記載のソケットレンチ並びにボルトとの組合せによれば、ボルト頭部に形成した円筒孔に嵌入させる支持杆を設けるに際し、ソケット部における嵌合穴の底部中央に円筒孔を設け、この円筒孔内に、先端が前記嵌合穴内を挿通して嵌合穴の開口部より外方へ所要長さ突出しかつその先端部を円錐状に突出させて、前記ボルト頭部に形成した円筒孔に嵌入させるための支持杆を、ばね部材を介して弾力的に進退可能に収納配置することによって、極めて簡単な構成により、ソケット部の嵌合穴とボルト頭部との中心位置決めを容易かつ迅速に達成することができる。
【００３３】
本発明の請求項６および１５に記載のソケットレンチ並びにボルトとの組合せによれば、ボルト頭部の頂面中央部に設けた円筒孔の内部に、ソケットレンチのソケット部の円筒孔内に設けた支持杆の先端部を嵌合する場合において、テーパ接触によるいくさび状の緩みのない適正な結合を達成することができる。従って、この場合、前記ボルトの円筒孔およびソケットレンチの支持杆の製造に際しての仕上がり寸法が設定寸法より多少の誤差を生じても、前述したように常に適正な結合を達成することができる。
【００３４】
本発明の請求項７および１４に記載のソケットレンチ並びにボルトとの組合せによれば、ソケット部における嵌合穴の底部中央に設けた円筒孔内に、前記円筒孔に内接する円筒体と、この円筒体の一端部において前記嵌合穴の底部に係止するように構成した多角形のフランジ部とを備えたスリーブを挿着固定し、前記スリーブ内に前記ばね部材を配置すると共に、前記支持杆の他端部を弾力的に進退可能に収納係止する構成とすることにより、前記支持杆の構成をメンテナンス可能な部品による組立て方式となり、その製造の容易化と共に製造コストの低減を図ることができる。
【００３５】
本発明の請求項８に記載のソケットレンチによれば、支持杆の先端部にナットの雌ねじ部に嵌入係止させる段部を形成することによって、前記ボルト頭部の嵌合のみならず、ナットとの嵌合も可能にして、ボルトおよびナットの取付けおよび取外し作業を有効に行うことができる。
【００３６】
本発明の請求項９および１６に記載のソケットレンチによれば、ソケット部に対してボルト頭部を嵌合する場合において、支持杆の先端部をボルト頭部の円筒孔に嵌入する際に、永久磁石の吸引作用によって、ソケット部の嵌合穴とボルト頭部との中心位置決めを迅速に行うと共に、ボルト頭部の前記支持杆への保持ないしソケット部の嵌合穴内への嵌入を確実にして円滑かつ適正に行うことができる。
【００３７】
本発明の請求項１０および１７に記載のソケットレンチによれば、ソケット部に対してボルト頭部を嵌合する場合において、支持杆の先端部をボルト頭部の円筒孔に嵌入する際に、永久磁石の吸引作用によって、ボルト頭部のソケット部の嵌合穴内への嵌入および保持を確実にして円滑かつ適正に行うことができる。
【図面の簡単な説明】
【００３８】
【図１】本発明に係るボルトの一実施例を示す側面断面図である。
【図２】図１に示すボルトの平面図である。
【図３】図１に示すボルトの変形例を示す側面断面図である。
【図４】図３に示すボルトの平面図である。
【図５】本発明に係るボルトに適合するソケットレンチの一実施例を示す要部概略側面断面図である。
【図６】図５に示すソケットレンチの先端部側から見た平面図である。
【図７】図１に示すボルトに図５に示すソケットレンチを適用して嵌合した状態を示す概略断面説明図である。
【図８】図７に示すボルトとソケットレンチの嵌合によりボルトの取付け作業を行う状態を示す概略側面断面図である。
【図９】本発明に係るボルトに適合するソケットレンチの別の実施例を示す要部概略側面断面図である。
【図１０】図５に示すソケットレンチの変形実施例を示す要部概略側面断面図である。
【図１１】図１０に示すソケットレンチの先端部側から見た平面図である。
【図１２】本発明に係るボルトに適合するソケットレンチのさらに別の実施例を示す要部概略側面断面図である。
【図１３】図１２に示すソケットレンチの先端部側から見た平面図である。
【図１４】本発明に係るボルトおよびナットに適合するソケットレンチのさらにまた別の実施例を示す要部概略側面断面図である。
【図１５】本発明に係るボルトとソケットレンチとの組合せのさらに別の実施例を示す概略断面説明図である。
【図１６】図１５に示すボルトとソケットレンチとの組合せの変形実施例を示す概略断面説明図である。
【発明を実施するための形態】
【００３９】
次に、本発明に係るボルト及びこれに適合するソケットレンチ並びにこれらの組合せの実施例につき、添付図面を参照しながら以下詳細に説明する。
【実施例１】
【００４０】
（ボルトの構成例１）
図１および図２は、本発明に係るボルトの一実施例を示す概略構成図である。すなわち、図１および図２において、参照符号１０Ａは頭部を六角形に形成した六角ボルトを示し、このボルト１０Ａのボルト頭部１０ａの頂面中央部に、所要深さの円筒孔１２を設けると共に、この円筒孔１２の底部を円錐状の底面１４に形成した構成からなる。なお、このように構成される本実施例のボルト１０Ａを製造するに際しては、アプセット（冷間圧造）によるボルト頭部１０ａの一体的成形を行うことにより、前記六角形からなるボルト頭部１０ａの頂面１１は、若干円形上に凹んだ形状を有し、その中央部に所要深さの円筒孔１２を形成すると共に、この円筒孔１２の開口縁部を面取り１３した構成とすることができる。
【実施例２】
【００４１】
（ボルトの構成例２）
図３および図４は、本発明に係るボルトの別の実施例を示す概略構成図である。なお、説明の便宜上、図１および図２に示す実施例と同一の構成部分については同一の参照符号を付し、詳細な説明は省略する。すなわち、図３および図４において、本実施例のボルト１０Ｂは、基本的構成が前記実施例１のボルト１０Ａと同一である。特に、本実施例のボルト１０Ｂにおいては、前記円筒孔１２の底部は、円錐状の底面１４を２段階（１５）に形成したものである。このように本実施例のボルト１０Ｂを構成することにより、特に円筒孔１２の底部を、円錐状の底面１４、１５として２段階に深く凹むように構成することにより、アプセット（冷間圧造）によるボルト頭部１０ａの一体的成形を可能とし、ボルト製造線材の頭部における素材分子の密度を高めて、ボルト１０Ｂの軽量化と共にその強靭化を図ることができる。なお、本発明に係るボルトの変形例として、図３および図４に破線で示すように、フランジ部１６を設けたフランジ付きボルトとして構成することもできる。
【実施例３】
【００４２】
（ソケットレンチの構成例１）
図５および図６は、本発明に係るソケットレンチの一実施例を示す概略構成図である。すなわち、図５および図６において、参照符号２０Ａは六角形からなるボルト頭部１０ａ（図１参照）を嵌合する六角形の嵌合穴２４を有するソケット部２２を備えたソケットレンチを示し、前記ソケットレンチ２０Ａのソケット部２２における嵌合穴２４内に、先端部２８を円錐状に突出させて、ボルト頭部１０ａに形成した円筒孔１２（図１参照）に嵌入させるように構成した支持杆２６を設けた構成からなる。この場合、前記ソケット部２２における嵌合穴２４の底部中央に円筒孔２５を設け、この円筒孔２５内に、先端が前記嵌合穴２４内を挿通して嵌合穴２４の開口部より外方へ所要長さ突出しかつその先端部２８を円錐状に突出させて、前記ボルト頭部１０ａに形成した円筒孔１２に嵌入させるための支持杆２６を、ばね部材３０を介して弾力的に進退可能に収納配置する。なお、前記支持杆２６は、嵌合穴２４の底部中央に設けた円筒孔２５に嵌入させる境界部に、若干の突出段部２７を設けて、この突出段部２７に対して前記円筒孔２５の開口部側内周面に、係止リングばね２９を取付けることにより、前記円筒孔２５から脱落しないように係止することができる。
【００４３】
また、本実施例のソケットレンチの構成において、ボルト頭部１０ａに形成した円筒孔１２に嵌入させるように構成した支持杆２６は、図示しないが、その長さ寸法を短く設定し、支持杆２６の先端部２８が嵌合穴２４の開口部より外方へ突出しないようにした構成配置とすることもできる。
【実施例４】
【００４４】
（ボルトとソケットレンチの組合せ構成例１）
図７および図８は、本発明に係るボルトとソケットレンチとの組合せの一実施例を示す概略構成図である。なお、説明の便宜上、図１ないし図６に示すボルトおよびソケットレンチの各実施例と同一の構成部分については同一の参照符号を付し、詳細な説明は省略する。
【００４５】
図７は、図１および図２に示す実施例１のボルト１０Ａと、図５および図６に示す実施例３のソケットレンチ２０Ａとの組合せによる、ソケットレンチ２０Ａのソケット部２２の嵌合穴２４内に対する、ボルト頭部１０ａの嵌合状態を示すものである。この場合、ソケット部２２の嵌合穴２４とボルト頭部１０ａとの中心位置決めを迅速に行うと共に、その嵌合も円滑に行われて、従来のように嵌合穴２４内にリング状ばね等を設けることなく、支持杆２６によるソケット部２２におけるボルト頭部１０ａの保持を確実に行うことができる。
【００４６】
図８は、図１および図２に示す実施例１のボルト１０Ａと、図５および図６に示す実施例３のソケットレンチ２０Ａとの組合せによる、ソケットレンチ２０Ａのソケット部２２の嵌合穴２４内に、ボルト頭部１０ａを嵌合させて、ボルト１０Ａの取付け作業を行う状態を示すものである。この場合、支持杆２６によるソケット部２２におけるボルト頭部１０ａの保持を確実に行い、ボルト１０Ａの取付け対象物Ｗに対する取付け作業に際し、その適正化と共に作業効率の向上を容易に達成することができる。
【実施例５】
【００４７】
（ソケットレンチの構成例２）
図９は、本発明に係るソケットレンチの別の実施例を示す概略構成図である。本実施例のソケットレンチ２０Ｂは、六角形からなるボルト頭部１０ａに嵌合する六角形の嵌合穴２４を有するソケット部２２を備えたソケットレンチ２０Ｂであって、前記ソケット部２２における嵌合穴２４内に、先端部２８を円錐状に突出させて、ボルト頭部１０ａに形成した円筒孔１２に嵌入させるための支持杆２６を設けた構成からなる。この場合、前記ソケット部２２における嵌合穴２４の底部中央に円筒孔２５を設け、この円筒孔２５内に、先端が前記嵌合穴２４内に位置しかつその先端部２８を円錐状に突出させて、前記ボルト頭部１０ａに形成した円筒孔１２に嵌入させる支持杆２６を収納固定する。なお、前記支持杆２６は、嵌合穴２４の底部中央に設けた円筒孔２５に嵌入させる境界部に、若干の突出段部２７を設けて、この突出段部２７に対して前記円筒孔２５の開口部側内周面に、係止リングばね２９を取付けることにより、前記円筒孔２５から脱落しないように係止することができる。
【００４８】
このように構成することによっても、前述した実施例４と同様に、ソケットレンチ２０Ｂのソケット部２２に対するボルト頭部１０ａの嵌合に際し、ソケット部２２の嵌合穴２４とボルト頭部１０ａとの中心位置決めを迅速に行うと共に、その嵌合も円滑に行うことができ、しかもソケット部２２におけるボルト頭部１０ａの保持を簡便かつ容易に達成することができ、ボルト１０Ａの取付け作業に際してその適正化と共に作業効率の向上を容易に達成することができる。
【実施例６】
【００４９】
（ソケットレンチの構成例３）
図１０および図１１は、本発明に係るソケットレンチの変形例を示す概略構成図である。図１０および図１１に示すソケットレンチ２０Ｃは、その基本的な構成が、前述した図５および図６に示す実施例３に記載のソケットレンチ２０Ａと同じである。従って、図５および図６に示す実施例３と同一の構成部分については同一の参照符号を付し、詳細な説明は省略する。そこで、本実施例のソケットレンチ２０Ｃは、ソケット部２２に弾力的に進退可能に収納配置した支持杆２６の先端部側の外周面の一部において、図１０および図１１に示すように、単一または複数の磁極が位置するように永久磁石３２を設けたものである。
【００５０】
このようにソケットレンチ２０Ｃを構成することにより、ソケット部２２に対してボルト頭部１０ａを嵌合する場合において、支持杆２６の先端部２８をボルト頭部１０ａの円筒孔１２に嵌入する際に、永久磁石３２の吸引作用によって、ソケット部２２の嵌合穴２４とボルト頭部１０ａとの中心位置決めを迅速に行うと共に、ボルト頭部１０ａの前記支持杆２６への保持ないしソケット部２２の嵌合穴２４内への嵌入を確実にして円滑かつ適正に行うことができる。
【実施例７】
【００５１】
（ソケットレンチの構成例４）
図１２および図１３は、本発明に係るソケットレンチのさらに別の実施例を示す概略構成図である。すなわち、図１２および図１３に示すソケットレンチ２０Ｄは、ソケット部２２における嵌合穴２４の底部中央に円筒孔２５を設け、この円筒孔２５内に、この円筒孔２５に内接する円筒体３５と、この円筒体３５の一端部において前記嵌合穴２４の底部に係止するように構成した六角形のフランジ部３６とを備えたスリーブ３４を挿着固定し、前記スリーブ３４内にばね部材３０を配置すると共に、前記ボルト頭部１０ａに形成した円筒孔１２に嵌入させるための支持杆２６を、前記ばね部材３０を介して弾力的に進退可能に収納配置した構成からなる。なお、前記支持杆２６は、嵌合穴２４の底部中央に設けた円筒孔２５内に挿着固定するスリーブ３４に嵌入させる境界部に、若干の突出段部２７を設けて、この突出段部２７に対して前記フランジ部３６の内向き側に、係止部３７を設けることにより、前記スリーブ３４から脱落しないように係止することができる。また、参照符号３８は、前記スリーブ３４を嵌合穴２４の円筒孔２５内に挿着固定するための止めねじ具を示す。
【００５２】
このようにソケットレンチ２０Ｄを構成することにより、支持杆２６構成をメンテナンス可能な円筒体３５とフランジ部３６からなるスリーブ３４と、支持杆２６と、ばね部材３０とからなる部品による組立て方式となり、その製造の容易化と共に製造コストの低減を図ることができる。
【００５３】
また、本実施例のソケットレンチ２０Ｄにおいては、図１２および図１３に示すように、ソケット部２２の嵌合穴２４の底部に配置したスリーブ３４のフランジ部３６に、単一または複数の永久磁石４０を固定配置した構成とすることができる。このようにソケットレンチ２０Ｄを構成することにより、ソケット部２２に対してボルト頭部１０ａを嵌合する場合において、支持杆２６の先端部２８をボルト頭部１０ａの円筒孔１２に嵌入する際に、永久磁石４０の吸引作用によって、ボルト頭部１０ａのソケット部２２の嵌合穴２４内への嵌入および保持を確実にして、ボルト１０Ａの取付け作業を円滑かつ適正に行うことができる。
【実施例８】
【００５４】
（ソケットレンチの構成例５）
図１４は、本発明に係るソケットレンチのさらにまた別の実施例を示す概略構成図である。すなわち、図１４に示すソケットレンチ２０Ｅは、図７および図８に示す実施例４のソケットレンチ２０Ａの変形例を示すものであり、本発明に係るボルト１０のみならず、ナット５０の取付けおよび取外し作業に際しても、有効に使用することができるように構成したものである。従って、本実施例のソケットレンチ２０Ｅにおいては、図７に示すソケットレンチ２０Ａの構成において、支持杆２６の先端部側に、ナット５０の雌ねじ部５２に嵌入係止させる段部２６ａを形成したことを特徴とする。その他の構成は、図７に示す構成と同じであり、同一の構成部分には同一の参照符号を付し、その詳細な説明は省略する。なお、本実施例のソケットレンチ２０Ｅにおいては、前述した図１０および図１１に示す実施例６のソケットレンチ２０Ｃと同様にして、図示する支持杆２６の段部２６ａ付近に、永久磁石３２を設けることにより、ナット５０の保持並びにソケット部２２の嵌合穴２４内への嵌入および保持を確実にして、ナット５０の取付け作業を円滑かつ適正に行うことができる。また、本実施例のソケットレンチ２０Ｅは、図９および図１２にそれぞれ示すソケットレンチ２０Ｂ、２０Ｄの支持杆２６として応用することができる。
【実施例９】
【００５５】
（ボルトとソケットレンチの組合せ構成例２）
図１５および図１６は、本発明に係るボルトとソケットレンチとの組合せのさらに別の実施例を示す概略構成図である。なお、説明の便宜上、図１ないし図６に示すボルトおよびソケットレンチの各実施例と同一の構成部分については同一の参照符号を付し、詳細な説明は省略する。
【００５６】
図１５は、前述した図７および図８に示す実施例４のボルトとソケットレンチとの組合せにおいて、ソケットレンチ２０Ａのソケット部２２に設けた支持杆２６の先端側で、ボルト頭部１０ａに形成した円筒孔１２に嵌合する部分の外周面２６ｂを、先細りとなるテーパ形状に構成したものである。これに対応して、前記ボルト頭部１０ａの円筒孔１２の内周面１２ａを、同様のテーパ形状に構成したものである。この場合、前記テーパ形状としての傾斜角度は、ボルトのねじ軸に対して、例えば３°〜４５°の範囲で適宜設定することができる。このように構成した本実施例においては、図示のように、前記ボルト頭部１０ａの円筒孔１２の内部（１２ａ）に、前記ソケットレンチ２０Ａの支持杆２６の先端部（２６ｂ）をくさび状にして緩みのない適正な嵌合を達成することができる。
【００５７】
従って、本実施例のボルトとソケットレンチとの組合せによれば、前記ボルトの円筒孔１２およびソケットレンチ２０Ａの支持杆２６の製造に際しての仕上がり寸法が、設定寸法より多少の誤差を生じても、前述したように常に適正な結合を達成することができる。なお、このようなソケットレンチ２０Ａの支持杆２６とボルト頭部１０ａの円筒孔１２とのテーパ形状による結合構成については、前述した図９に示す実施例５、図１０および図１１に示す実施例６、そして図１２および図１３に示す実施例７におけるソケットレンチ２０Ｂ、２０Ｃ、２０Ｄとボルトとの組合せにおいても、それぞれ適用することができる。
【００５８】
図１６は、前記図１５に示す実施例の変形例を示すものである。すなわち、本実施例においては、ソケットレンチ２０Ａのソケット部２２に設けた支持杆２６について、その円錐状先端部２８がボルト１０Ａとの嵌合前において、ソケット部２２の嵌合穴２４の開口部より外部に突出しないような構成配置としたものである。その他の構成は、前記図１５に示す実施例と同一である。従って、図１５に示す実施例と同一の構成部分については、それぞれ同一の参照符号を付し、その詳細な説明は省略する。このように構成した本実施例においては、図示のように、ソケットレンチ２０Ａのソケット部２２内にボルト頭部１０ａを完全に収納保持することができ、例えばソケットレンチ２０Ａの移動操作に際しても、より確実なソケットレンチ２０Ａとボルトとの結合を達成することができる。
【００５９】
以上、本発明の好適な実施例について説明したが、本発明は前述した実施例に限定されることなく、例えば六角形以外の種々の多角形ボルトおよびこれに適合する多角形のソケットレンチとすること、またソケットレンチにおける支持杆として、ソケット部の嵌合穴への設置手段につき、進退自在な構成とする場合もしくは進退しない固定手段とする場合において、公知の種々の手段を採用することができるばかりでなく、永久磁石の設置についても種々の設計変更が可能であり、その他本発明の精神を逸脱しない範囲内において多くの設計変更を行うことができる。
【符号の説明】
【００６０】
１０Ａ、１０Ｂ  六角形ボルト          １０ａ  ボルト頭部
１１  凹んだ頂面                      １２  円筒孔
１２ａ  テーパ形状の内周面                  １３  面取り
１４  円錐状の底面                    １５  ２段目の円錐状底面
１６  フランジ部                      ２０Ａ、２０Ｂ  ソケットレンチ
２０Ｃ、２０Ｄ  ソケットレンチ        ２２  ソケット部
２４  嵌合孔                          ２５  円筒孔
２６  支持杆                          ２６ａ  段部
２６ｂ  テーパ形状の外周面                  ２７  突出段部
２８  円錐状先端部                    ２９  係止リングばね
３０  ばね部材                        ３２  永久磁石
３４  スリーブ                        ３５  円筒体
３６  六角形フランジ部                ３７  係止部
３８  止めねじ具                      ４０  永久磁石
５０  ナット                          ５２  雌ねじ部
Ｗ  ボルトの取付け対象物
【図１】
2010054049.tif 000003
【図２】
2010054049.tif 000004
【図３】
2010054049.tif 000005
【図４】
2010054049.tif 000006
【図５】
2010054049.tif 000007
【図６】
2010054049.tif 000008
【図７】
2010054049.tif 000009
【図８】
2010054049.tif 000010
【図９】
2010054049.tif 000011
【図１０】
2010054049.tif 000012
【図１１】
2010054049.tif 000013
【図１２】
2010054049.tif 000014
【図１３】
2010054049.tif 000015
【図１４】
2010054049.tif 000016
【図１５】
2010054049.tif 000017
【図１６】
2010054049.tif 000018